(57)【要約】【課題】安価で簡易な構造により、マッサージ椅子やベッド等のマッサージ機に内装されたメカ部分の稼働騒音を防止するようにしたマッサージ機における騒音防止機構を提供する。【解決手段】マッサージ動作をする施療子６１を有するメカ部６が、マッサージ機本体１両側に内装配備された一対のガイドレール２１・２１に移動走行可能に保持されたマッサージ機において、一対のガイドレール２１・２１間に介設されたメカ部６の各上下回転輪６３・６３間に弾性体７を介在させて、メカ部６の移動時における稼働騒音を弾性体７で吸収させるよう構成したものである。【選択図】図４
2004230050.tif 000002
【特許請求の範囲】
【請求項１】
マッサージ機本体両側に内装配備された一対のガイドレールに沿って施療子を有するメカ部が移動走行し得るようメカ部左右で可回転に装備された少なくとも上下一対の回転輪を各ガイドレールに係合保持させたマッサージ機において、各ガイドレール内の少なくとも上下一対の回転輪間に各々弾性体を介在させた事を特徴とするマッサージ機における騒音防止機構。
【請求項２】
前記弾性体の両端面に前記回転輪外周面と略々同径の凹面を形成する曲面部を形成した事を特徴とする請求項１記載のマッサージ機における騒音防止機構。
【発明の詳細な説明】
【０００１】
【産業上の利用分野】
本発明は、例えばマッサージ椅子やベッド等のマッサージ機に内装されたメカ部分の稼働騒音を防止するようにしたマッサージ機における騒音防止機構に関するものである。
【０００２】
【従来の技術】
従来より、マッサージ機に係るものとしては多種多様なものがあるが、殆どのマッサージ機は、椅子式またはベッド式にしたものが主流であり、このマッサージ椅子やベッド本体に往復移動可能なメカ部を内装して、メカ部に設けられた施療子により、揉みマッサージや叩きマッサージの他、ローリングマッサージや振動マッサージを行わせるようしている。
【０００３】
従来技術としては、特開２００１−２９９８５２号の特許文献がある。その構成について図９に基づいて図説するが、椅子型マッサージ機の背凭れ部内部に、マッサージ器７と左右一対の支持レール９を有するフレーム１０とが設けられており、前記マッサージ器７の支持体１２に、左右一対の各支持レール９に対応するように左右に対をなす回転輪１７，１８，１９が、レール方向（上下方向）に対応して３組ずつ設けられ、左右一対の支持レール９間に、マッサージ器７が３組の対をなす回転輪１７，１８，１９を介して上下移動自在に支持されている。
【０００４】
前記対をなす回転輪１７，１９には弾性体３５が組み込まれ、該弾性体３５が一対の支持レール９の離間方向内方に圧縮されて、対をなす回転輪１７，１９が、一対の支持レール９に対してその離間方向外方に向けて圧接されている。また、前記レール方向に対応する複数の回転輪１７，１８，１９のうちの少なくとも一方の回転輪１８に、弾性体４２が組み込まれ、該弾性体４２が支持レール９に直交する方向に圧縮されて、前記レール方向に対応する複数の回転輪１７，１８，１９のうちの一方の回転輪１８と他方の回転輪１７，１９とが、支持レール９に対して、レールに直交する方向において互いに逆方向に圧接されている。それで前記回転輪１７，１９及び前記回転輪１８に組み込まれている夫々の前記弾性体３５と弾性体４２が、該回転輪１７，１９及び前記回転輪１８の前記支持レール９に対するガタ付きや稼働騒音を抑止する役割を果たしている。
【特許文献】
特開２００１−２９９８５２号公報（第４頁右欄、図１）
【０００５】
【発明が解決しようとする課題】
ところで、上記従来技術を代表する発明では、マッサージ機に内装されたメカ部分のガタ付きや稼働騒音を防止するのに効果を期待することはできるが、上記のような騒音防止のための弾性体を製造過程にて、複数の回転輪に対してその内部に夫々組み込まなければならず、しかも上記のような回転輪であるならば複数の弾性体の成形型が必要となり、それだけ製造過程における経費や、コストが増高する問題、また長期使用による弾性体の劣化におけるメンテナンスや交換の複雑さという課題があげられる。
【０００６】
そこで、本発明は、上記問題点を解消する為に成されたものであり、安価で簡易な構造により、マッサージ椅子やベッド等のマッサージ機に内装されたメカ部分の稼働騒音を防止するようにしたマッサージ機における騒音防止機構を提供する事を目的とする。
【０００７】
【課題を解決するための手段】
すなわち、請求項１記載の本発明のマッサージ機における騒音防止機構は、マッサージ機本体両側に内装配備された一対のガイドレールに沿って施療子を有するメカ部が移動走行し得るようメカ部左右で可回転に装備された少なくとも上下一対の回転輪を各ガイドレールに係合保持させたマッサージ機において、各ガイドレール内の少なくとも上下一対の回転輪間に各々弾性体を介在させた事を特徴とするものである。
【０００８】
また、請求項２記載の本発明は、前記請求項１の弾性体の両端面に、前記回転輪外周面と略々同径の凹面を形成する曲面部を形成した事を特徴とするものである。
【０００９】
本発明のマッサージ機における騒音防止機構は、上記のように構成することにより次のような作用をもたらす。
すなわち、本発明のマッサージ機における騒音防止機構は、マッサージ動作をする施療子を有するメカ部と、そのメカ部両側に設けられた回転自在の回転輪にて保持且つ移動走行し得るためのメカ部両側に設けた一対からなるガイドレールとを備えたマッサージ機において、メカ部とガイドレールとの間に弾性体を介在している為、メカ部分とガイドレールとの間で生じる稼働騒音を安価で簡易な構造にて防止することができる。
【００１０】
また、本発明のマッサージ機における騒音防止機構は、弾性体の両端にメカ部両側に設けられた回転輪外周面と略々同径の凹面を形成する曲面部を形成している為、該メカ部の移動に伴い該弾性体がスムースに摺動移動できると共に、ガイドレール内の回転輪間からの離脱を防止することができる。
【００１１】
【発明の実施の形態】
以下に、本発明のマッサージ機における騒音防止機構を、図面に示す一実施形態に基づきこれを詳細に説明する。
図１は本発明のマッサージ機における騒音防止機構を配備した一実施形態であるマッサージ機本体の斜視図であり、図２は本発明のマッサージ機における騒音防止機構を配備したマッサージ機本体の一実施形態である使用状態図であり、図３と図４は本発明のマッサージ機における騒音防止機構を配備したマッサージ機本体の背凭れ部にあるメカ部に関する一実施形態の説明図であり、図５〜図８は本発明のマッサージ機における騒音防止機構の一実施形態である弾性体に関する説明図であり、図９は従来技術である。
【００１２】
すなわち、本発明のマッサージ機における騒音防止機構は、例えば図１の実施形態で示すマッサージ機に配備することができる。マッサージ機本体１として、背凭れ部２、座部３、そして該座部３左右両側に夫々肘掛け部４とその前方に足載せ部５とで構成されており、図２で示す様相のように使用者が着座してマッサージ施療を受けることができるものである。
【００１３】
而して図３と図４で図示するように該背凭れ部２の内部左右両側に夫々ガイドレール２１が、夫々互いに開口側が対向するよう固設されており、両ガイドレール２１に施療子６１を有するメカ部６を保持して、これを図４に示すように上下方向に移動走行し得るように構成している。
【００１４】
更に前記メカ部６両側に、これを保持して移動走行し得るよう、支持軸６２にて回転自在に軸設している回転輪６３が、左右夫々２つずつ対になって前記両ガイドレール２１にて回転自在に設けられている。
【００１５】
また、前記メカ部６を移動させる手段としては限定されないが、例えば前記背凭れ部２の上下方向に設けられ可逆モータで回転する螺軸の回転により、前記メカ部６に固設され該螺軸と螺合する非回転ナットを移動させることで、該メカ部６が連動する。別の手段としては、前記ガイドレール２１に固設されたラックに、前記メカ部６に設けられた可逆モータにて回転するピニオンが噛合して、その回転にて前記メカ部６を移動させるラックとピニオンとの噛合構造、更には流体圧シリンダ等を用いた昇降駆動構造等を用いたものに置換することも可能である。
【００１６】
尚、上記メカ部６は、施療モータ６４により、前記一対の施療子６１に揉みマッサージや叩きマッサージの他、振動マッサージ等を行わせるようにしたものであり、その構成については言及されるものではなく、任意の構成が採用される。
【００１７】
而して、本発明のマッサージ機にける騒音防止機構として、上記実施例で示したマッサージ機等に利用されるものであり、前記メカ部６と両ガイドレール２１との間に夫々図５の一実施例で示す弾性体７を設けている。該弾性体７は軟質樹脂材やゴム材、発泡樹脂等の弾性を有する素材で形成されており、該長さ方向両端面には、前記回転輪６３の外周面と沿うよう略同径の二次曲面である曲面部７１を夫々設けており、該曲面部７１と該回転輪６３の外周面とが摺接か、或いは非摺接のいずれかの状態で夫々保たれる。それで図６にあるように、前記弾性体７はその両端に摺接する夫々前記回転輪６３と共なって移動することができ、且つ該弾性体７は前記ガイドレール２１から外れたりすることなく、常に安定した状態でガイドレール２１に対して摺動することができる。
【００１８】
また、前記弾性体７は図７に示すように、前記ガイドレール２１の開口側に設けられた、前記回転輪６３の直径よりも稍大きい幅である回転輪受け部２１１内部にて摺動自在に設けている。該回転輪受け部２１１に挿入された前記回転輪６３が該回転輪受け部２１１内壁にある転接面２１１ａにて転接自在となっている。それで、前記回転輪６３が前記転接面２１１ａを回転すると共に前記メカ部６が移動する時、この弾性体７は前記回転輪受け部２１１内部にて摺動し、前記背凭れ部２の表裏方向Ｆ１、また幅方向Ｆ２にて前記メカ部６と両ガイドレール２１との間で生じる稼働騒音を防止することができるのである。
【００１９】
尚、図８に示すように、前記回転輪６３が前記両ガイドレール２１の左右夫々３つずつ対になって設けられているならば、該夫々前記回転輪６３間に前記弾性体７を各ガイドレール２１につき、１つ以上（実施例では２つ）設けても良く、その数において限定されることはない。
【００２０】
【発明の効果】
よって本発明のマッサージ機における騒音防止機構は、マッサージ動作をする施療子を有するメカ部と、そのメカ部両側に設けられた回転自在の回転輪にて保持且つ移動走行し得るためのメカ部両側に設けた一対からなるガイドレールとを備えたマッサージ機において、メカ部とガイドレールとの間に弾性体を介在した事を特徴とするものである為、揉みマッサージや叩きマッサージの他、振動マッサージ等を行ったりする場合でも、メカ部分とガイドレールとの間で生じるガタツキ音等の不快な騒音を防止して、マッサージ機の寿命を延命させる事ができると共に、使用者にとって静穏性のある快適なマッサージ機をより安価で提供でき、しかも長期使用による弾性体の劣化におけるメンテナンスや交換の簡便さも伴う。
【００２１】
また、本発明のマッサージ機における騒音防止機構は、前記メカ部両側に設けられた複数対からなる前記回転輪間に、弾性体を介在することでも、該メカ部の移動に伴い該弾性体が外れたりするのを防止でき、不必要なメンテナンス上の問題を回避することができる。
【図面の簡単な説明】
【図１】本発明のマッサージ機における騒音防止機構を配備した一実施形態であるマッサージ機本体の斜視図である。
【図２】本発明のマッサージ機における騒音防止機構を配備したマッサージ機本体の一実施形態である使用状態図である。
【図３】本発明のマッサージ機における騒音防止機構を配備したマッサージ機本体の背凭れ部にあるメカ部の移動を表す一実施形態の説明図である。
【図４】本発明のマッサージ機における騒音防止機構を配備したマッサージ機本体の背凭れ部にあるメカ部やガイドレールに関する一実施形態の説明図である。
【図５】本発明のマッサージ機における騒音防止機構の一実施形態である弾性体の斜視図である。
【図６】本発明のマッサージ機における騒音防止機構の一実施形態である弾性体とガイドレールと回転輪の配置状態を示す説明図である。
【図７】本発明のマッサージ機における騒音防止機構の一実施形態である弾性体とガイドレールとメカ部の配置状態を示す説明図である。
【図８】本発明のマッサージ機における騒音防止機構の弾性体とガイドレールと回転輪の他の一実施形態である配置状態を示す説明図である。
【図９】マッサージ機における騒音防止機構に関する従来技術である。
【符号の説明】
１    マッサージ機本体
２    背凭れ部
２１    ガイドレール
２１１    回転輪受け部
２１１ａ  転接面
３    座部
４    肘掛け部
５    足載せ部
６    メカ部
６１    施療子
６２    支持軸
６３    回転輪
６４    施療モータ
７    弾性体
７１    曲面部
【図１】
2004230050.tif 000003
【図２】
2004230050.tif 000004
【図３】
2004230050.tif 000005
【図４】
2004230050.tif 000006
【図５】
2004230050.tif 000007
【図６】
2004230050.tif 000008
【図７】
2004230050.tif 000009
【図８】
2004230050.tif 000010
【図９】
2004230050.tif 000011